(57)【要約】  本発明は、上部に開放部を備え、パウダーを収容する収容体と、前記収容体の上部に結合され、内周面に沿って延長される固着リブと、当該固着リブの上に備えられた収容穴とを有する結合部材と、該結合部材の固着リブに固着されて収容穴に収容され、前記収容体からパウダーを排出させる複数の排出穴を備えた弾性変形可能な蓋部材と、該弾性変形可能な蓋部材の外側を覆うように備えられた前記弾性変形可能な蓋部材が、結合部材の収容穴から離脱することを防止し、前記弾性変形可能な蓋部材の排出穴を介して排出されたパウダーが、さらに均一に外部に排出されるようにする分散部材と、該分散部材が、外部に露出されないように前記分散部材を覆い、かつ、前記結合部材に結合される蓋とを備えた化粧用パウダー容器を提供する。【選択図】図１
2008502415.tif 000002
【特許請求の範囲】
【請求項１】
上部に開放部を備え、パウダーを収容する収容体と、
前記収容体の上部に結合され、内周面に沿って延長される固着リブと当該固着リブの上に備えられた収容穴とを有する結合部材と、
該結合部材の固着リブに固着されて前記収容穴に収容され、前記収容体からパウダーを排出させる複数の排出穴を備えた弾性変形可能な蓋部材と、
該弾性変形可能な蓋部材の外側を覆うように備えられた前記弾性変形可能な蓋部材が、結合部材の収容穴から離脱することを防止し、前記弾性変形可能な蓋部材の排出穴を介して排出されたパウダーが、さらに均一に外部に排出されるようにする分散部材と、
該分散部材が、外部に露出されないように前記分散部材を覆い、かつ、前記結合部材に結合される蓋と、
を備えたことを特徴とする化粧用パウダー容器。
【請求項２】
前記弾性変形可能な蓋部材が、前記結合部材の収容穴の内径より大きな直径を有するようになされ、強制嵌合式によって前記収容穴に固着され、外力が作用しないときに前記排出穴の一端部が小さくなって収容体の内部のパウダーが容易に排出されないようにし、外力が作用するときに前記排出穴の一端部が開放されるようにすることによって収容体の内部のパウダーが排出されるようにすることを特徴とする請求項１に記載の化粧用パウダー容器。
【請求項３】
前記弾性変形可能な蓋部材が、前記結合部材の収容穴の形状に対応するような段差が付くように形成され、一部は、前記収容穴に収容され、残りの一部は、収容穴の上部に掛かるようになされたことを特徴とする請求項１に記載の化粧用パウダー容器。
【請求項４】
前記弾性変形可能な蓋部材の複数の排出穴が、一定直径でなされたことを特徴とする請求項２に記載の化粧用パウダー容器。
【請求項５】
前記弾性変形可能な蓋部材の複数の排出穴が、中心から外側へと離れるほど、その直径が大きくなったり小さくなったりすることを特徴とする請求項２に記載の化粧用パウダー容器。
【請求項６】
前記結合部材が、前記分散部材の端部を固定するよう外側に一定の深さの挿入溝を備えたことを特徴とする請求項１に記載の化粧用パウダー容器。
【請求項７】
前記結合部材が、前記挿入溝の上部に外側へと突出形成された結合補強部を備えたことを特徴とする請求項６に記載の化粧用パウダー容器。
【請求項８】
前記結合補強部が、三角形の断面形状を有し、その先端が外側に向く突起を備えたことを特徴とする請求項７に記載の化粧用パウダー容器。
【請求項９】
前記収容体が、前記パウダーを直接収容して外部への排出を容易にするインナーパウダー収容部材を備えたことを特徴とする請求項１に記載の化粧用パウダー容器。
【請求項１０】
前記インナーパウダー収容部材が、半球形でなることを特徴とする請求項９に記載の化粧用パウダー容器。
【請求項１１】
前記収容体と結合部材との間の接触部に、前記パウダーが外部に漏れないようにする中空型の密閉部材をさらに備えたことを特徴とする請求項１に記載の化粧用パウダー容器。
【請求項１２】
前記密閉部材が、スポンジを含む発泡樹脂材またはゴムリングであることを特徴とする請求項１１に記載の化粧用パウダー容器。
【請求項１３】
上部に開放部を備え、パウダーを収容する収容体と、
該収容体の上部に結合され、内周面に沿って延長される固着リブと当該固着リブの上側に備えられた収容穴とを有する結合部材と、
該結合部材の固着リブに固着されて前記収容穴に収容され、前記収容体からパウダーを排出させる複数の排出穴を備える弾性変形可能な蓋部材と、
該弾性変形可能な蓋部材の外側を覆うように備えられた前記弾性変形可能な蓋部材が、結合部材の収容穴から離脱されること防止し、前記弾性変形可能な蓋部材の排出穴を介して排出されたパウダーが、さらに均一に外部に排出されるようにする分散部材と、
該分散部材が、外部に露出しないように前記分散部材を覆い、かつ、前記結合部材に結合される蓋と、
を備え、
前記弾性変形可能な蓋部材が、前記結合部材の収容穴の内径より大きな直径を有するようになされ、強制嵌合式によって前記収容穴に固着され、外力が作用しないときには前記排出穴の一端部が小さくなって収容体内部のパウダーが容易に排出されないようにし、外力が作用するときには、前記排出穴の一端部が開放されるようにすることによって収容体の内部のパウダーが排出されるようにすることを特徴とする化粧用パウダー容器。
【請求項１４】
前記弾性変形可能な蓋部材の複数の排出穴が、一定直径でなることを特徴とする請求項１３に記載の化粧用パウダー容器。
【請求項１５】
前記弾性変形可能な蓋部材の複数の排出穴が、中心から外側へと離れるほど、その直径が大きくなったり小さくなったりすることを特徴とする請求項１３に記載の化粧用パウダー容器。
【請求項１６】
上部に開放部を備え、パウダーを収容する収容体と、
該収容体の上部に結合され、内周面に沿って延長される固着リブと、当該固着リブの上側に備えられた収容穴とを有する結合部材と、
該結合部材の固着リブに固着されて収容穴に収容され、前記収容体からパウダーを排出させる複数の排出穴を備えた弾性変形可能な蓋部材と、
該弾性変形可能な蓋部材の外側を覆うように備えられて前記弾性変形可能な蓋部材が、結合部材の収容穴から離脱されることを防止し、前記弾性変形可能な蓋部材の排出穴を介して排出されたパウダーがさらに均一に外部に排出されるようにする分散部材と、
該分散部材が、外部に露出されないように前記分散部材を覆い、かつ、前記結合部材に結合される蓋と、
を備え、
前記弾性変形可能な蓋部材が、前記結合部材の収容穴の形状に対応するように段差が付くように形成され、一部は、収容穴に収容され、残りの一部は、収容穴の上部に掛かるようになることを特徴とする化粧用パウダー容器。
【請求項１７】
前記弾性変形可能な蓋部材の複数の排出穴が、一定直径でなることを特徴とする請求項１６に記載の化粧用パウダー容器。
【請求項１８】
前記弾性変形可能な蓋部材の複数の排出穴が、中心から外側へと離れるほど直径が大きくなったり小さくなったりすることを特徴とする請求項１６に記載の化粧用パウダー容器。
【請求項１９】
パウダーを直接収容し、外部への排出を容易にするインナーパウダー収容部材を備えた収容体と、
該収容体の上部に結合され、内周面に沿って延長される固着リブと、当該固着リブの上側に備えられた収容穴を有する結合部材と、
該結合部材の固着リブに固着されて収容穴に収容され、前記収容体からパウダーを排出させる複数の排出穴を備えた弾性変形可能な蓋部材と、
該弾性変形可能な蓋部材の外側を覆うように備えられ、前記弾性変形可能な蓋部材が、結合部材の収容穴から離脱することを防止し、前記弾性変形可能な蓋部材の排出穴を介して排出されたパウダーが、さらに均一に外部に排出されるようにする分散部材と、
該分散部材が、外部に露出されないように前記分散部材を覆い、かつ、前記結合部材に結合される蓋と、
を備えたことを特徴とする化粧用パウダー容器。
【請求項２０】
前記弾性変形可能な蓋部材の複数の排出穴が、一定直径でなることを特徴とする請求項１９に記載の化粧用パウダー容器。
【請求項２１】
前記弾性変形可能な蓋部材の複数の排出穴が、中心から外側へと離れるほど直径が大きくなったり小さくなったりすることを特徴とする請求項１９に記載の化粧用パウダー容器。
【発明の詳細な説明】
【技術分野】
【０００１】
本発明は、化粧用パウダー容器に関し、さらに詳しくは、パウダーを保存する容器にパフを結合し、携帯及び使用が容易な化粧用パウダー容器に関する。
【背景技術】
【０００２】
通常、女性は、頬や唇及び眉毛などに様々な色調の化粧品を用いて化粧することによって美的感覚に対する欲求を満たしたのであるが、朝、化粧をした後、日常生活をする度に化粧が少しずつ落ちたり、崩れたりするが、このようなときに、崩れた化粧を消したり、整えたりする化粧用具が必要となった。
【０００３】
従来には、容器に別途に装備されたパフにパウダーを付けて化粧したが、このように、容器とパフとが別々に構成されている化粧品を利用して化粧するとき、または、化粧を直すとき、パウダー入りのパウダー容器を下に置いた状態で、片手には鏡を持ち、もう片手でパフを持ってパウダー容器に入っているパウダーをパフに付けて顔の化粧をすることから、非常に面倒であり、パウダーが飛散する問題と共に、パウダー容器を倒してパウダーをこぼすという短所があった。
【０００４】
このような問題を解決するために、容器・パフ一体型のパウダー容器が着目されるようになったが、これは、容器に保存されていたパウダーをパフ側に押し込む部材がないため、容器の内部にパウダーが残り、使わないときにも内部のパウダーがパフを介して外部に排出されるため、パウダーの浪費を招くばかりでなく、容器の内・外部が、パウダーによって汚れるという短所があった。
【発明の開示】
【発明が解決しようとする課題】
【０００５】
本発明は、上記問題点を解決するためになされたものであって、その目的は、パウダー容器とパフとを一体化して使用及び携帯を簡潔にし、弾性変形可能な蓋部材に形成された排出穴の開閉作用によってパウダーの排出が容易になるようにすると同時に、使用しないときには、排出穴を閉鎖してパウダーが外部に排出されないようにしてパウダーの浪費を防止し、容器の清潔さを維持する化粧用パウダー容器を提供することである。
【課題を解決するための手段】
【０００６】
上記の目的を達成するために、本発明は、上部に開放部を備え、パウダーを収容する収容体と、前記収容体の上部に結合され、内周面に沿って延長される固着リブと当該固着リブの上に備えられた収容穴とを有する結合部材と、該結合部材の固着リブに固着されて前記収容穴に収容され、前記収容体からパウダーを排出させる複数の排出穴を備えた弾性変形可能な蓋部材と、該弾性変形可能な蓋部材の外側を覆うように備えられた前記弾性変形可能な蓋部材が、結合部材の収容穴から離脱することを防止し、前記弾性変形可能な蓋部材の排出穴を介して排出されたパウダーが、さらに均一に外部に排出されるようにする分散部材と、該分散部材が、外部に露出されないように前記分散部材を覆い、かつ、前記結合部材に結合される蓋とを備えた化粧用パウダー容器を提供する。
【０００７】
前記収容体は、前記パウダーを直接収容し、外部への排出が容易になるようにする半球形のインナーパウダー収容部材を備え、内部のパウダーが、インナーパウダーの収容部材の曲面に沿ってスムーズに流れ出るようにすることによって、パウダーの量の多少、または、容器の傾斜角度に関係なく、手軽に使用できるようにする。
【０００８】
前記結合部材は、前記分散部材の端部を固定するように、外側に一定の深さの挿入溝を備えて前記分散部材と収容体との間にすき間が発生しないようにし、弾性変形可能な蓋部材から排出されたパウダーが、前記分散部材と収容体との間のすき間を介して外部に排出されることを防止する。
【０００９】
前記弾性変形可能な蓋部材は、前記結合部材の収容穴の内径より大きな直径を有するようになって、強制嵌合式によって前記固着され、外力が作用しないとき、前記排出穴の一端部が小さくなって、収容体の内部のパウダーが容易に排出されないようにし、外力が作用されるとき、前記排出穴の一端部が開放されるようにして収容体の内部のパウダーが排出されるようにする。
【００１０】
または、前記弾性変形可能な蓋部材は、前記結合部材の形状に対応するような段差が付くように形成され、一部は、収容穴に収容され、残りの一部は、収容穴の上部に掛かるようになすこともできる。
【発明の効果】
【００１１】
本発明は、パウダー容器及びパフを一体化して使用及び携帯を簡潔にし、収容体に備えられた半球形状のインナーパウダー収容部材によって内部のパウダーがスムーズに流れ出るようにし、弾性変形可能な蓋部材に形成された排出穴の開閉によるポンプ作用によって、パウダーの排出を容易にすると同時に、容器を使用しないときには排出穴が小さくなり、パウダーが収容体の外部に簡単に排出されないようにしてパウダーの浪費を防止し、容器の清潔を維持するという効果がある。
【発明を実施するための最良の形態】
【００１２】
上述した目的、特徴及び長所は、添付した図面に係る次の詳細な説明によってさらに明らかになるであろう。以下、添付した図１〜図９を参照して本発明の好ましい実施形態を詳しく説明する。
【００１３】
図１は、本発明の実施形態に係るパウダー容器の構成を示す分離斜視図であり、図２は、本発明の実施形態に係るパウダー容器の構成を示す結合斜視図であり、図３は、図２の断面図であり、図４は、収容体に挿入された状態で、外力の作用のない弾性変形可能な蓋部材を示す底面図であり、図５は収容体に挿入された状態で、外力の作用のある弾性変形可能な蓋部材を示す底面図であり、図６及び図７は、弾性変形可能な蓋部材の実施形態を示す斜視図であり、図８は、本発明の別の実施形態に係るパウダー容器の構成を示す分離斜視図であり、図９は、本発明の別の実施形態に係るパウダー容器の構成を示す断面図である。
【００１４】
図１〜図３に示すように、本発明は、上部に開放部を備え、パウダーを収容する収容体１０と、前記収容体１０の上部に結合され、内側に一定幅の固着リブ２２を備えて収容穴２１が形成された結合部材２０と、前記結合部材２０の固着リブ２２に固着された収容穴２１に収容され、ポンプ作用によって前記収容体１０からパウダーを均一に排出するように複数の排出穴３１を備えた弾性変形可能な蓋部材３０と、前記弾性変形可能な蓋部材３０の外側を覆うように備えられ、前記弾性変形可能な蓋部材３０が結合部材２０の収容穴２１から離脱することを防止し、前記弾性変形可能な蓋部材３０の排出穴３１を介して排出されたパウダーが、さらに均一に外部に排出されるようにする分散部材４０と、前記分散部材４０が外部に露出しように前記分散部材４０を覆い、かつ、前記結合部材２０に結合される蓋５０とを備える。
【００１５】
前記収容体１０は、内部にパウダーを収容するように収容空間を備え、弾性変形可能な蓋部材３０を備えた前記結合部材２０と結合される。このような前記収容体１０は、パウダーの容易な排出のために半球形のインナーパウダー収容部材１２を備えることができ、二重容器型として形成されることによって、パウダーの排出の容易性及び外見の美的機能などを向上できる。
【００１６】
すなわち、前記収容体１０の内部に備えられた前記インナーパウダー収容部材１２は、内側にパウダーを直接収容し、前記収容体１０の上部の周縁部に掛かるように周縁部１３を備えることができる。前記インナーパウダー収容部材１２は、半球形に形成されることが好ましく、これにより、パウダーが排出されるときに、パウダーが曲面に沿ってスムーズに流れ出るようにする。また、このようなインナーパウダー収容部材１２は、前記収容体１０に着脱できるように備えられるため、保存しようとするパウダーの量によって選択的に用いることができる。
【００１７】
一方、別の実施形態では、図８及び図９に示すように、インナーパウダー収容部材１２が前記収容体１０から脱去したまま、本化粧用パウダー容器が構成されるとき、パウダーが外部に漏れないように、前記収容体１０は、結合部材２０と密閉されるようにゴムリング、または、パッキング材のような中空型の密閉部材１４を結合部材２０の下端部、または、収容体１０の上端部に備える。すなわち、密閉部材１４は、結合部材２０と収容体１０との間の接触部に備えられる。このとき、前記密閉部材１４は、好ましくは、前記収容体１０の上端部と結合部材２０とによって圧着、密閉されるよう、スポンジのような発泡樹脂材、または、ゴムリングを利用して製造することができ、前記収容体１０、または、結合部材２０のいずれか一ヶ所に密閉部材１４が固定されるように、前記密閉部材１４の上面、または、下面には接着層が選択的に形成され得るし、形成されないこともある。
【００１８】
前記結合部材２０は、前記収容体１０に前記弾性変形可能な蓋部材３０及び前記分散部材４０が固定されるように備えられたものであって、前記収容体１０の上部に結合固定されることによって前記収容体１０と連通され、外側に前記蓋５０をすることによってその端部が結合される。このような結合部材２０は、前記収容体１０の上部と結合された後、再び蓋５０が結合されるようにするため、段差が付くように形成される。
【００１９】
また、前記結合部材２０は、内側に弾性変形可能な蓋部材３０が固着され得る固着リブ２２を形成した収容穴２１を備える。前記固着リブ２２は、前記弾性変形可能な蓋部材３０の底面の一部を支えるように形成され、前記収容穴２１は、前記弾性変形可能な蓋部材３０の一部を収容する。
【００２０】
このとき、前記弾性変形可能な蓋部材３０は、収容穴２１に嵌め込むことができるように前記収容穴２１の大きさよりやや大きく形成するように研磨することが好ましい。
【００２１】
一方、別の実施形態においては、収容穴２１は、図９に示すように、下部へ進むほど溝の直径が小さくなる形にすることができるが、すなわち、上部は広く下部は狭い形に形成することができることから、前記弾性変形可能な蓋部材３０が、前記収容穴２１に収容されるとき、外力が作用しないときには、後述の排出穴３１の弾性変形可能な蓋部材３０の底面側端部が密閉されるようにして収容体の内部のパウダーが排出されないようにし、外力が作用するときには、前記収容体側の排出穴の端部が開放されるようにして収容体の内部のパウダーが排出されるようにすることができる。
【００２２】
また、前記結合部材２０は、外側に前記分散部材４０の端部が嵌め込まれる挿入溝２３を備え、前記挿入溝２３には、前記分散部材４０が前記弾性変形可能な蓋部材３０を覆った後、その端部が前記結合部材２０に嵌め込むことができるようにして、前記弾性変形可能な蓋部材３０を介して排出されたパウダーが外部に漏れないように前記結合部材２０と分散部材４０との間にすき間が生じないようにする。
【００２３】
一方、別の実施形態では、図８及び図９に示すように、前記分散部材４０、前記挿入溝２３に位置する結合部材２０の部分に結合補強部２４をさらに形成して、前記分散部材４０の固定がさらに強く維持するようにすることによって、前記弾性変形可能な蓋部材３０を介して排出されたパウダーが外部に漏れないように前記結合部材２０と分散部材４０とを結合する。
【００２４】
すなわち、前記結合補強部２４は、外側の半径方向に突出形成される突起２５からなり、突起２５は、三角形、円形など、様々な断面形状として、その先端は、外側に向かって円周方向に沿って所定間隔で形成され、前記分散部材４０がその先端部に拘束され、前記結合補強部２４から離脱されずに、さらに強く固定できるように構成することがきできる。
【００２５】
前記弾性変形可能な蓋部材３０は、通常、パフに用いられる素材、例えば、スポンジからなり、前記結合部材２０の収容穴２１に収容され、複数の排出穴３１を備えて前記収容体１０からのパウダーが外部に均一に排出されるようにする。
【００２６】
このような弾性変形可能な蓋部材３０は、様々な形になり得るが、本実施形態においては、図６に示すように、強制嵌合式の弾性変形可能な蓋部材３０、または、図７に示すように、結合部材２０の収容穴２１の大きさに対応するように形成された弾性変形可能な蓋部材３０からなり得る。
【００２７】
図６に示す前記弾性変形可能な蓋部材３０は、前記結合部材２０の収容穴２１の内径より大きな直径を有するようになったものであって、強制嵌合式によって固着され、外力の作用がないときには、排出穴３１の弾性変形可能な蓋部材３０の底面側の端部が小さくなって、収容体の内部のパウダーが容易に排出されないようにし、外力が作用するときには、ポンプ作用によって前記収容体側の排出穴の端部が開放され、収容体の内部のパウダーが排出されるようにすることができる。
【００２８】
このような形の弾性変形可能な蓋部材３０は、前記収容穴２１の内径より大きいため、一部は、強制的に嵌め込まれて前記収容穴２１の直径と等しくなり、残りの一部は、前記収容穴２１から広がった扇形（断面形態）となる。したがって、前記収容穴２１に嵌め込まれる前の円形の排出穴３１は、使用時と未使用時の形状が変わる。
【００２９】
すなわち、図４に示すように、パウダー容器を使用しないときには、弾性変形可能な蓋部材３０に外力が加わらないため、パウダー容器の底面側から見た弾性変形可能な蓋部材３０の排出穴３１が小さくなって閉じられるため、収容体１０の内部のパウダーは、排出穴３１を介して外部に排出されない。また、図５に示すように、パウダー容器を使用しているときには弾性変形可能な蓋部材３０に外力が加わり、パウダー容器の底面側から見た弾性変形可能な蓋部材３０の排出穴３１が元の形状に復帰され、内部のパウダーが外部に排出される通路の役割を果すようになる。
【００３０】
そして、このような排出穴３１の開閉動作は、前記収容体１０の内部を完全に閉鎖した後、一時的に開放するため、収容体１０の内部のパウダーを外部に引き出すことのできるポンプ作用を行なうことによって、パウダーの排出をさらに容易にする。
【００３１】
また、図７に示すように、前記弾性変形可能な蓋部材３０は、前記結合部材の収容穴側の内径及び外径に対応するように段差が付くように形成され、一部は、収容穴に収容され、残りの一部は、収容穴の上に掛かるようになることもできる。
【００３２】
前記排出穴３１は、前記弾性変形可能な蓋部材３０を貫通する複数の貫通穴からなるが、その形状、または、大きさは任意に決められる。すなわち、一定直径の排出穴３１が同心円に配列されることもあり、不規則に配列されることもある。また、弾性変形可能な蓋部材３０の中心から外側に進むほど排出穴３１の直径が小さくなるようにすることもできる。反対に、排出穴３１の直径が大きくなるようにすることもできる。
【００３３】
前記分散部材４０は、前記弾性変形可能な蓋部材３０の排出穴３１を介して排出されたパウダーを分散させて外部に排出されるように備えられたものであって、前記弾性変形可能な蓋部材３０の上面を覆った後、前記結合部材２０の外側に形成された挿入溝２３に、その端部が嵌め込まれて固定される。
【００３４】
一方、別の実施形態では、図８及び図９に示すように、前記結合補強部２４及び挿入溝２３に固定される前記分散部材４０の端部は、分散部材４０の残りの部位より耐久力及び弾力を有し、分散部材４０が前記結合部材２０に容易に結合され、前記突起２５によってさらに耐久性のある固定状態を維持できるようになる。
【００３５】
前記蓋５０は、パウダー容器を使用しないときには前記分散部材４０が外部に露出されないように前記分散部材４０の上面を覆って、その端部は前記結合部材２０の一面に結合されることによって固定される。
【００３６】
本発明に係るパウダー容器の使用プロセスを説明すると、次の通りである。
【００３７】
まず、結合部材２０に結合されている蓋５０を前記結合部材２０から分離し、前記分散部材４０を使用しようとする部分に向けながら収容体１０を一定角度に傾ける。
【００３８】
前記収容体１０の内部のパウダーが、インナーパウダー収容部材の曲面に沿って流れ出るようになるが、弾性変形可能な蓋部材３０の排出穴３１が小さくなって閉じた状態であるため、パウダーが排出されない。
【００３９】
続いて、ユーザが使用部位にパウダー容器を接触させながら加圧すれば弾性変形可能な蓋部材３０が、外力によって中央部が変形され、前記排出穴３１が元の形に復帰しながら開放され、開口側まで流れてきたパウダーが前記排出穴３１を介して均一に排出され、再び、分散部材４０によって細かい粉の形で外部に排出される。
【００４０】
前記弾性変形可能な蓋部材３０への加圧動作は、くり返して行なわれ、適当な量のパウダーが連続的に排出されるようになる。使用した後は、分離した蓋５０を再び前記結合部材２０に結合する。
【００４１】
以上で説明した本発明は、前述した実施形態及び添付した図面によって限定されるものではなく、本発明の技術的思想を逸脱しない範囲内で、様々な置換、変形及び変更が可能であるということが本発明が属する技術分野における通常の知識を有する者にとって明白である。
【図面の簡単な説明】
【００４２】
【図１】本発明の実施形態に係るパウダー容器の構成を示す分離斜視図である。
【図２】本発明の実施形態に係るパウダー容器の構成を示す結合斜視図である。
【図３】図２の断面図である。
【図４】収容体に挿入された状態で、外力の作用のない弾性変形可能な蓋部材を示す底面図である。
【図５】収容体に挿入された状態で、外力の作用のある弾性変形可能な蓋部材を示した底面図である。
【図６】弾性変形可能な蓋部材の実施形態を示す斜視図である。
【図７】弾性変形可能な蓋部材の実施形態を示す斜視図である。
【図８】本発明の別の実施形態に係るパウダー容器の構成を示す分離斜視図である。
【図９】本発明の別の実施形態に係るパウダー容器の構成を示す断面図である。
【図１】
2008502415.tif 000003
【図２】
2008502415.tif 000004
【図３】
2008502415.tif 000005
【図４】
2008502415.tif 000006
【図５】
2008502415.tif 000007
【図６】
2008502415.tif 000008
【図７】
2008502415.tif 000009
【図８】
2008502415.tif 000010
【図９】
2008502415.tif 000011
【国際調査報告】
2008502415.tif 000012
2008502415.tif 000013